(57)【特許請求の範囲】
【請求項１】
敷設枠の互いに隣合う２辺の側壁部の下端に、それぞれ環状の雌連結部が一定のピッチで複数設けられ、その各対辺側には円柱状の雄連結部がそれぞれ雌連結部に対応する位置関係で複数設けられ、
敷設枠内に、各一個のブロック部材を保持する複数の保持区画を形成し、該保持区画を形成する区画壁の側壁に各々内方に突出して相互に対抗する一対以上の係止爪が設けられた床化粧材用敷設枠において、
上記区画壁の上端面に保持区画線に沿って連続する凹溝が設けられることを特徴とする床化粧材用敷設枠。
【請求項２】
敷設枠の互いに隣合う２辺の側壁部の下端に、それぞれ環状の雌連結部が一定のピッチで複数設けられ、その各対辺側には円柱状の雄連結部がそれぞれ雌連結部に対応する位置関係で複数設けられ、
敷設枠内に、各一個のブロック部材を保持する複数の保持区画を形成し、該保持区画を形成する区画壁が基板部から立設され、区画壁の側壁に各々内方に突出して相互に対抗する一対以上の係止爪が設けられた床化粧材用敷設枠において、
基板部の裏面には、区画壁の両側壁面側に沿って凹溝が設けられることを特徴とする床化粧材用敷設枠。
【発明の詳細な説明】
【０００１】
【発明の属する技術分野】
本発明は、ベランダやバルコニー、あるいはテラスなどの床面に敷設する床化粧材に用いられる敷設枠に関する。
【０００２】
【従来の技術】
近年、コンクリート等によって構成されたバルコニーやベランダの床面を覆う床材として、硬質合成樹脂を矩形状に成形した敷設枠（樹脂マット）の上面に樹脂表面材を一体成形した構造、あるいは樹脂製敷設枠の上面に、ラバータイル、磁器タイル、木レンガ等のブロック状の表面材を係止固定または接着固定した構造の、ユニット方式の床化粧材が実用化されている（例えば実開平５−８５９２９号公報）。
【０００３】
また、木材などの表面材を用いた床化粧材としては、樹脂製敷設枠の内部に、矩形の表面材（木レンガ等）を保持するための複数の保持区画壁を形成し、この保持区画壁に係止片を一体形成するとともに、木材製の表面材に溝加工を施し、その溝加工部に敷設枠の係止爪を嵌め込むことによって表面材を敷設枠に固定する構造のものがある（例えば実公平３−２４６４１号公報）。
【０００４】
このような嵌め込み構造の床化粧材の従来例として、図９〜図１１に示すようにタイルを敷設枠に取り付けたものが知られている。この床化粧材Ａは、磁器タイル等の表面材１００の側面の全周に溝加工を施して嵌合溝１０１を形成し、この嵌合溝１０１に敷設枠２００の係止爪２０１を嵌め込むようにしている。
【０００５】
そして、敷設枠２００の内部には、保持区画２１０を形成する区画壁２２０が正方形の表面材（タイル）１００の一辺に相当するピッチ（１０ｃｍ）で格子状に設けられている。敷設枠２００の周壁２３０と各区画壁２２０の上部には、タイル１００を固定するための係止爪２０１が一体に形成されている。
【０００６】
また、床化粧材Ａの敷設枠２００には、互いに隣合う２辺の側壁部の下端に、それぞれ環状の雌連結部２０２が一定のピッチで複数設けられている。その各対辺側には円柱状の雄連結部２０３がそれぞれ雌連結部２０２に対応する位置関係で複数設けられており、これら雄・雌連結部を利用して複数の床化粧材Ａを相互に連結することができるようになっている。
【０００７】
【発明が解決しようとする課題】
ところで、上記のような床化粧材Ａを、複数枚、バルコニー等の施工対象面上に整列させて敷設する場合、右上隅に第１の床化粧材Ａに続いて第２、第３の床化粧材Ａを縦列方向に敷設し、先に敷設された床化粧材Ａと新たに敷設された床化粧材Ａとを相互に連結する。この床化粧材Ａは縦列の末尾においては、タイル一列分のスペースがあくことがあるので、床化粧材Ａを図１０〜図１１に示すようにタイル目地１００ａのＢ−Ｂ線に沿って切断し、右側のタイル一列分の切断部分１Ａをこのスペースに敷設し、残りの切断部分２Ａは廃棄もしくは他に利用することがある。
【０００８】
しかしながら、このタイル目地１００ａは敷設枠２００の厚み方向に一定高さの区画壁２２０から形成されており、また、敷設枠２００の裏面には脚部２０４が突出しており、カッターナイフで区画壁２２０を上方から切断するのが困難である。
【０００９】
また、敷設枠２００の裏面から切断する場合、脚部２０４を避けて区画壁２２０の左側の側壁面付近の真下のラインｃに沿って切断しようとしても目地１００ａから外れたりして切断され、基板部２４０の切断面は一直線にならず見栄えが悪く、バルコニーの施工面に整列して敷設しても不揃いとなって外観上見苦しいという問題点があった。
【００１０】
本発明はそのような実情に鑑みてなされたもので、ブロック部材が嵌め込まれた敷設枠の区画壁に沿って切断する場合、見栄え良く簡単に切断できる床化粧材用敷設枠を提供することを目的とする。
【００１１】
【課題を解決するための手段】
このような目的を達成するために、請求項１に記載の発明に係わる床化粧材用敷設枠（以下、「請求項１の床化粧材用敷設枠」と記す）は、敷設枠の互いに隣合う２辺の側壁部の下端に、それぞれ環状の雌連結部が一定のピッチで複数設けられ、その各対辺側には円柱状の雄連結部がそれぞれ雌連結部に対応する位置関係で複数設けられ、敷設枠内に、各一個のブロック部材を保持する複数の保持区画を形成し、該保持区画を形成する区画壁の側壁に各々内方に突出して相互に対抗する一対以上の係止爪が設けられた床化粧材用敷設枠において、上記区画壁の上端面に保持区画線に沿って連続する凹溝が設けられている。
【００１２】
請求項２に記載の発明に係わる床化粧材用敷設枠（以下、「請求項２の床化粧材用敷設枠」と記す）は、敷設枠の互いに隣合う２辺の側壁部の下端に、それぞれ環状の雌連結部が一定のピッチで複数設けられ、その各対辺側には円柱状の雄連結部がそれぞれ雌連結部に対応する位置関係で複数設けられ、敷設枠内に、各一個のブロック部材を保持する複数の保持区画を形成し、該保持区画を形成する区画壁が基板部から立設され、区画壁の側壁に各々内方に突出して相互に対抗する一対以上の係止爪が設けられた床化粧材用敷設枠において、基板部の裏面には、区画壁の両側壁面側に沿って凹溝が設けられている。
【００１３】
本発明の床化粧材用敷設枠において、保持枠部材は複数個のブロック状の表面材を上面に配置する形状で保持枠部材の上面に各一個のブロック状の表面材を保持する複数の保持区画を設けたものである。
【００１４】
この保持区画は、リブ等で自由な形状に構成することができる。例えば、格子状、ハニカム型等の適当な形状に構成することができる。これに保持されるブロック部材も対応させて同一形状に形成する必要がある。
【００１５】
また、敷設枠は通常多数連結して使用されるので、敷設枠の側部に隣接する相互の敷設枠同志を連結する連結手段を設けておくことが好ましい。
【００１６】
【発明の実施の形態】
本発明の実施の形態を、以下、図面に基づいて説明する。
【００１７】
まず、この実施の形態では、ブロック部材として、正方形（約１０ｃｍ×１０ｃｍ）の磁器タイルを用い、この磁器タイル（９枚）を図１に示すように敷設枠２の上面に保持するようにしている。
【００１８】
図１は、請求項１記載の発明（第１発明）の実施の形態をあらわす敷設枠の構造を示す平面図（一部裏面図）である。
この図１に示す敷設枠１は、軟質合成樹脂を正方形（３０ｃｍ角）に成形した部材で、その表面側には、ブロック部材としての磁器タイル（約１０ｃｍ×１０ｃｍ）を３個ずつ３列に保持するように、保持区画１１を形成する区画壁１２が正方形の磁器タイルの一辺に相当するピッチ（１０ｃｍ）で格子状に設けられている。敷設枠１の周壁１３と各区画壁１２の上部には、磁器タイルを固定するための係止爪１２ａが一体形成されている。
【００１９】
また、敷設枠１には、互いに隣合う２辺の側壁部の下端に、それぞれ環状の雌連結部１４が一定のピッチで複数設けられている。その各対辺側には円柱状の雄連結部１５がそれぞれ雌連結部１４に対応する位置関係で複数設けられており、これら雌連結部１４と雄連結部１５を利用して複数の床化粧材を相互に連結することができるようになっている。その裏面には、図２に示すように被敷設面との間に排水空間を形成するための脚部１６が一体形成されている。
【００２０】
敷設枠１の区画壁１２の上端面には、保持区画線ａ−ａに沿って凹溝１７が設けられている。この凹溝１７は、図２に示すように、区画壁１２が立設される基板部１８の上面にまで深く凹設されてもよいが、図３(a) のようにＶ字状の浅溝であってもよい。なお、１８は敷設枠１の底部に設けられた基板部であって、各保持区画１１に表面側から裏面側に貫通する開口部１８ａ、１８ｂが形成されている。
【００２１】
また、被敷設面との間に排水空間を形成するための脚１６は凹溝１７の真下の裏面に設けられていてもよいが、図３(a) 〜(b) に示すように、凹溝１７ａ、１７の幅に相当する間隔で２本の脚部１６ａを設けてもよい。特に、図３(b) に示すように脚１６ａを互いに離して設けると、凹溝１７の裏底には脚がないので保持区画線ａ−ａに沿ってカッターナイフで簡単に切断することができる。
【００２２】
ブロック部材としての正方形のタイル２は、図４に示すように、タイル２の側面の全周に溝加工を施して嵌合溝２１が形成されている。図４(a) は上辺縁２２と下辺縁２３とは同じ寸法であるが、図４(b) に示すように上辺縁２１ａが下辺縁２２よりはみ出した寸法であってもよい。
【００２３】
上記タイルを正方形の敷設枠１の上面に装着するには、敷設枠１の周壁１３と区画壁１２で区画された格子状の縦横３列の正方形の保持区画１１内に９個のタイル２を嵌め込む。このとき、周壁１３と区画壁１２に設けられた係止爪１２ａをタイル２の嵌合溝２１に嵌め込むことによって、タイル２が敷設枠１に固定される。
【００２４】
図５(a) には、図４(a) に示されたタイル２を用いて、敷設枠１の上面に装着した状態を示す。合成樹脂製の敷設枠１に磁器製のタイル２を装着した場合、季節の外気温度差により敷設枠１に熱伸縮が生じても係止爪１２ａがタイル２の嵌合溝２１から外れない係止寸法に設定されている。
【００２５】
図５(b) には、図４(b) に示されたタイル２ａを用いた実施の形態が示されている。タイル２ａの上辺縁２２ａが突出しており、敷設枠１の上面に装着すると、タイル２ａの上辺縁２２ａが区画壁１２の上面を覆い区画壁１２に設けられた凹溝１７とともに深い目地２４を形成することになる。
【００２６】
図７は、請求項２記載の発明（第２発明）の実施の形態をあらわす敷設枠の構造を示す裏面図（一部平面図）である。
この図７に示す敷設枠１０において、敷設枠１０の表面に、各一個のブロック部材（タイル）を保持する複数の保持区画３１を形成し、該保持区画３１を形成する区画壁３２が敷設枠１０の基板部１８から立設されている。この区画壁３２は、第１発明の敷設枠１のように、凹溝１７が設けられた区画壁１２とことなり、細幅の区画壁で構成されて凹溝が設けられていない。
【００２７】
一方、敷設枠１０の基板部１８の裏面には、区画壁３２の側壁面３２ｂ、３２ｂの真下に沿って凹溝１９が設けられている。
この凹溝１９は、敷設枠１０の裏面側からカッターナイフで切断して一列（３枚）の切断部分を切り離すときのガイドの役割をするものである。従って、タイル２が保持区画３１に嵌め込まれて床化粧材としてバルコニーに整列して敷設する場合、区画壁３２に沿って直線状に切断することができるので、施工が簡単で見栄えの良いバルコニーの床面が形成される。
【００２８】
以上、本発明の実施の形態を図面により詳述してきたが、具体的な形態はこの実施の形態に限られものではなく、本発明の要旨を逸脱しない範囲における設計の変更等があっても本発明に含まれる。
【００２９】
例えば、上記の実施の形態では、本発明の床化粧材用敷設枠において、保持区画１１は区画壁１２が格子状のリブ構造により形成さているが、図６に示すように保持区画線ｂ−ｂに沿って一対の短片状の保持片１２ｂ、１２ｂを基板部１８ｂ上にそれぞれ対峙させて立設し、保持片１２ｂの上端に係止爪１２ａを保持区画内において各々内方に突出させるようにしてもよい。この場合は、一対の保持片１２ｂ、１２ｂは、保持区画線ｂ−ｂを挟んで互いに離して立設されているので、保持区画線ｂ−ｂの部分は基板部１８ｂの板の厚みとなっており、カッターナイフで保持区画線ｂ−ｂに沿って切断することが容易となる。
【００３０】
【発明の効果】
以上説明したように、請求項１の床化粧材用敷設枠によれば、ブロック部材が嵌め込まれた敷設枠を表面側から区画壁に沿って容易に且つ見栄えが良く切断することができ、バルコニーへの施工作業が楽になり、敷設した状態は外観上見苦しくならない。
【００３１】
また、請求項２の床化粧材用敷設枠によれば、ブロック部材が嵌め込まれた敷設枠を裏面側から区画壁に沿って容易に且つ見栄えが良く切断することができので、バルコニーへの施工作業が楽になり、敷設した状態は外観上見苦しくならない。
【図面の簡単な説明】
【図１】請求項１の床化粧材用敷設枠の構造を示す平面図（一部裏面図）である。
【図２】図１におけるＥ−Ｅ線矢視の拡大横断面図である。
【図３】図２の他の例を説明する図で、同図(a) 〜(b) は変形例を示す拡大横断面図である。
【図４】請求項１の床化粧材用敷設枠に保持されるブロック部材（タイル）の図であって、同図(a) はタイルの上辺縁と下辺縁の同じ寸法であり、同図(b) は上辺縁が下辺縁よりはみ出した寸法であることを示す側面図である。
【図５】図４に示したブロック部材（タイル）は、請求項１の床化粧材用敷設枠に保持された状態を説明する図であって、同図(a) は図４(a) に示したタイルが保持され、同図(b) は図４(b) に示したタイルが保持された状態を示す拡大横断面図である。
【図６】請求項１の床化粧材用敷設枠の変形例を示す一部切り欠き斜視図である。
【図７】請求項２の床化粧材用敷設枠の構造を示す裏面図（一部平面図）である。
【図８】図７におけるＦ−Ｆ線矢視の断面図である。
【図９】従来例を説明する床化粧材の分解斜視図である。
【図１０】同上の敷設枠にブロック部材が敷設枠に保持された床化粧材の構造を示す平面図である。
【図１１】図１０におけるＡ−Ａ線矢視の断面図である。
【符号の説明】
１，１０    敷設枠
１１，１１ｂ      保持区画
１２，１２ｂ      区画壁
１２ａ    係止爪
１３      周壁
１４      雌連結部
１５      雄連結部
１６，１６ａ    脚部
１７      凹溝
１８，１８ｂ    基板部
２，２ａ  ブロック部材
２１      嵌合溝
２２，２２ａ    上辺縁
【図１】
0004558917.tif 000002
【図２】
0004558917.tif 000003
【図３】
0004558917.tif 000004
【図４】
0004558917.tif 000005
【図５】
0004558917.tif 000006
【図６】
0004558917.tif 000007
【図７】
0004558917.tif 000008
【図８】
0004558917.tif 000009
【図９】
0004558917.tif 000010
【図１０】
0004558917.tif 000011
【図１１】
0004558917.tif 000012